(57)【要約】【課題】  情報処理装置において、当該情報処理装置が備える第１表示手段と、当該情報処理装置の外部にある第２表示手段とを使用できる場合に、これらを使い分けた安全性の高い画面表示を行えるようにする。【解決手段】  情報処理装置１００において、表示先決定部１５３が、ユーザの操作に従って情報を表示する場合に、そのユーザの属性と、表示しようとする情報の項目とに従って、その情報を内部の表示部１２１と外部の表示部２２１のいずれに表示させるかを決定し、第１表示制御部１５４及び第２表示制御部１５５がそれぞれ表示先決定部１５３の決定に従い表示部１２１及び表示部２２１を制御する。【選択図】    図３
2016177702.tif 000002
【特許請求の範囲】
【請求項１】
第１表示手段を有し、第２表示手段を有する端末装置と接続される情報処理装置であって、
前記第１表示手段における表示を制御する第１表示制御手段と、
前記第２表示手段における表示を制御する第２表示制御手段と、
ユーザの操作に従って該ユーザに対して情報を表示する場合に、該ユーザの属性と、表示しようとする情報の項目とに従って、該情報を前記第１表示手段と前記第２表示手段のいずれに表示させるかを決定する表示先決定手段とを備え、
前記第１表示制御手段及び前記第２表示制御手段はそれぞれ、前記第１表示手段及び前記第２表示手段のうち、前記表示先決定手段が決定した表示手段に、前記ユーザの操作に従って表示すべき情報を表示させるよう、前記第１表示手段及び前記第２表示手段を制御することを特徴とする情報処理装置。
【請求項２】
請求項１に記載の情報処理装置であって、
当該情報処理装置から前記ユーザまでの距離を推定する距離推定手段を備え、
前記表示先決定手段は、前記ユーザの属性と、前記表示しようとする情報の項目に加え、前記距離推定手段が推定した距離にも従って、前記表示しようとする情報を前記第１表示手段と前記第２表示手段のいずれに表示させるかを決定することを特徴とする情報処理装置。
【請求項３】
請求項２に記載の情報処理装置であって、
前記第１表示手段及び前記第２表示手段の画素数を取得する画素数取得手段を備え、
前記表示先決定手段は、前記ユーザの属性と、前記表示しようとする情報の項目と、前記距離推定手段が測定した距離に加え、前記第１表示手段及び前記第２表示手段の画素数にも従って、前記表示しようとする情報を前記第１表示手段と前記第２表示手段のいずれに表示させるかを決定することを特徴とする情報処理装置。
【請求項４】
請求項１に記載の情報処理装置であって、
前記ユーザの属性として、特定項目の情報の表示を許可されている第１属性と、前記特定項目の情報の表示を許可されていない第２属性とを選択的に設定可能であり、
前記表示先決定手段は、前記ユーザの属性が前記第１属性である場合、前記特定項目の情報を前記第２表示手段に表示させることを決定することを特徴とする情報処理装置。
【請求項５】
請求項２に記載の情報処理装置であって、
前記ユーザの属性として、特定項目の情報の表示を許可されている第１属性と、前記特定項目の情報の表示を許可されていない第２属性とを選択的に設定可能であり、
前記表示先決定手段は、前記ユーザの属性が前記第１属性であってかつ前記ユーザまでの距離が所定閾値より遠い場合、前記特定項目の情報及び前記特定項目以外の項目の情報を前記第２表示手段に表示させることを決定し、前記ユーザの属性が前記第１属性であってかつ前記ユーザまでの距離が所定閾値より近い場合、前記特定項目の情報を前記第２表示手段に表示させ、前記特定項目以外の項目の情報を前記第１表示手段に表示させることを決定することを特徴とする情報処理装置。
【請求項６】
請求項３に記載の情報処理装置であって、
前記ユーザの属性として、特定項目の情報の表示を許可されている第１属性と、前記特定項目の情報の表示を許可されていない第２属性とを選択的に設定可能であり、
前記表示先決定手段は、前記ユーザの属性が前記第１属性であってかつ前記第２表示手段の方が前記第１表示手段よりも画素数が多い場合、前記特定項目の情報及び前記特定項目以外の項目の情報を前記第２表示手段に表示させることを決定し、前記ユーザの属性が前記第１属性であってかつ前記第２表示手段の方が前記第１表示手段よりも画素数が少なくかつ前記ユーザまでの距離が所定閾値より近い場合、前記特定項目の情報及び前記特定項目以外の項目の情報を前記第１表示手段に表示させることを決定し、前記ユーザの属性が前記第１属性であってかつ前記第２表示手段の方が前記第１表示手段よりも画素数が少なくかつ前記ユーザまでの距離が所定閾値より遠い場合、前記特定項目の情報及び前記特定項目以外の項目の情報を前記第２表示手段に表示させることを決定することを特徴とする情報処理装置。
【請求項７】
画像処理手段を備える画像処理装置として構成したことを特徴とする請求項１乃至６のいずれか一項に記載の情報処理装置。
【請求項８】
第１表示手段を有し、第２表示手段を有する端末装置と接続される情報処理システムであって、
前記第１表示手段における表示を制御する第１表示制御手段と、
前記第２表示手段における表示を制御する第２表示制御手段と、
ユーザの操作に従って該ユーザに対して情報を表示する場合に、該ユーザの属性と、表示しようとする情報の項目とに従って、該情報を前記第１表示手段と前記第２表示手段のいずれに表示させるかを決定する表示先決定手段とを備え、
前記第１表示制御手段及び前記第２表示制御手段はそれぞれ、前記第１表示手段及び前記第２表示手段のうち、前記表示先決定手段が決定した表示手段に、前記ユーザの操作に従って表示すべき情報を表示させるよう、前記第１表示手段及び前記第２表示手段を制御することを特徴とする情報処理システム。
【請求項９】
コンピュータを、請求項１乃至６のいずれか一項に記載の情報処理装置として機能させるためのプログラム。
【発明の詳細な説明】
【技術分野】
【０００１】
この発明は、情報処理装置、情報処理システム及びプログラムに関する。
【背景技術】
【０００２】
従来から、ＭＦＰ（デジタル複合機）等の画像処理装置をはじめとする情報処理装置において、装置本体に備える操作部や表示部に加え、ユーザが持つ携帯端末装置を、情報処理装置の操作部及び表示部として利用することが行われている。
例えば、特許文献１には、ＭＦＰから携帯端末へ機能情報を送信し、携帯端末が画面上に設定可能な機能のみ表示し、ユーザがその機能を設定し、設定を完了すると、携帯端末がそのデータをＭＦＰに送信してＭＦＰに対して設定を行うことができることが記載されている。
【０００３】
特許文献２には、画像形成装置が、携帯端末と当該画像形成装置との間の距離を推定し、その推定した距離に応じて携帯端末が表示すべき画面を決定して、その画面の構成情報を携帯端末に送信して表示させることが記載されている。
【発明の概要】
【発明が解決しようとする課題】
【０００４】
ところで、情報処理装置が画面に表示する情報には、権限を持たない人に見られることが望ましくない情報もあるが、情報処理装置本体に備える表示部にこれらの情報を表示してしまうと、他人にものぞき見られてしまう恐れがあるという問題があった。
特許文献１及び特許文献２において、このような、特定の情報を他人に見られることを防止するための技術については開示されていない。
【０００５】
この発明は、このような事情に鑑みてなされたものであり、情報処理装置において、当該情報処理装置が備える第１表示手段と、当該情報処理装置の外部にある第２表示手段とを使用できる場合に、これらを使い分けた安全性の高い画面表示を行えるようにすることを目的とする。
【課題を解決するための手段】
【０００６】
この発明は、上記の目的を達成するため、第１表示手段を有し、第２表示手段を有する端末装置と接続される情報処理装置において、上記第１表示手段における表示を制御する第１表示制御手段と、上記第２表示手段における表示を制御する第２表示制御手段と、ユーザの操作に従ってそのユーザに対して情報を表示する場合に、そのユーザの属性と、表示しようとする情報の項目とに従って、その情報を上記第１表示手段と上記第２表示手段のいずれに表示させるかを決定する表示先決定手段とを備え、上記第１表示制御手段及び上記第２表示制御手段はそれぞれ、上記第１表示手段及び上記第２表示手段のうち、上記表示先決定手段が決定した表示手段に、上記ユーザの操作に従って表示すべき情報を表示させるよう、上記第１表示手段及び上記第２表示手段を制御するようにしたものである。
【発明の効果】
【０００７】
上記構成によれば、情報処理装置において、当該情報処理装置が備える第１表示手段と、当該情報処理装置の外部にある第２表示手段とを使用できる場合に、これらを使い分けた安全性の高い画面表示を行うことができる。
【図面の簡単な説明】
【０００８】
【図１】この発明の情報処理装置の一実施形態である画像処理装置の使用状況を示す図である。
【図２】図１に示した画像処理装置のハードウェア構成を示す図である。
【図３】図１に示した画像処理装置の機能構成を示す図である。
【図４】携帯端末装置のリストの例を示す図である。
【図５】ユーザリストの例を示す図である。
【図６】表示制御処理の第１例の概略を示す図である。
【図７】表示制御処理の第１例の処理を示すフローチャートである。
【図８】表示制御処理の第２例の概略を示す図である。
【図９】表示制御処理の第２例の処理を示すフローチャートである。
【図１０】表示制御処理の第３例の処理を示すフローチャートである。
【図１１】その続きの処理のフローチャートである。
【図１２】表示制御処理の第４例の概略を示す図である。
【図１３】表示制御処理の第４例の処理を示すフローチャートである。
【図１４】管理者権限を持つユーザが画像処理装置を操作して表示させる画面の例を示す図である。
【図１５】その別の例を示す図である。
【図１６】そのさらに別の例を示す図である。
【図１７】一般権限のユーザが画像処理装置を操作して表示させる画面の例を示す図である。
【発明を実施するための形態】
【０００９】
以下、この発明の実施形態について、図面を参照しつつ説明する。
図１に、この発明の情報処理装置の一実施形態である画像処理装置の使用状況を示す。
図１に示す画像処理装置１００は、例えばコピー、プリント、スキャン、ファクシミリ通信、文書蓄積等の種々の機能を備えたＭＦＰ（デジタル複合機）として構成することができる。そして、画像処理装置１００が備える固定の操作パネルに設けた表示部１２１（第１表示手段）と、画像処理装置１００と無線通信路３００を介して通信可能な携帯端末装置２００が備える表示部２２１（第２表示手段）とを、表示手段として利用することができる。すなわち、画像処理装置１００の動作状態や設定状態を表示したり、画像処理装置１００に対する動作指示や設定指示の操作を受け付けたりするための画面を、表示部１２１と表示部２２１のいずれにも表示させることができる。
【００１０】
ここで、例えば権限を持つ管理者がこれらの情報を設定や確認するために、セキュリティ関係の設定やログ、あるいは各ユーザの権限に関する設定等の権限を持たない人に見られることが望ましくない情報を全て表示部１２１に表示してしまうと、他人にものぞき見られてしまう恐れがあるという問題があった。なぜなら、画像処理装置１００の操作パネルに設けるディスプレイは、一般的に操作をしやすいように、画面サイズが大きく、また広視野角を持つように設計されているためである。
【００１１】
なお、携帯端末装置２００は、例えばスマートフォンやタブレット型コンピュータなど、表示部２２１としてディスプレイを備える携帯可能な情報処理装置である。そして、ユーザが携帯端末装置２００を画像処理装置１００に近づけることにより、ＮＦＣ（Near  Field  Communication）やBluetooth（登録商標）を用いて無線通信を行い、相互に情報を送受信することができる。このほか、無線ＬＡＮ（Local  Area  Network）など、他の任意の通信方式を採用可能である。
【００１２】
いずれにせよ、画像処理装置１００は無線通信で携帯端末装置２００へ画面のデータを送信して画面を表示させることができるし、携帯端末装置２００は同じく受け付けた操作や設定の情報を画像処理装置１００に送信して、画像処理装置１００の動作に反映させることができる。
【００１３】
次に、図２に、画像処理装置１００のハードウェア構成を示す。
図２に示すように、画像処理装置１００は、制御部１１０、操作パネル１２０、ＡＤＦ（Auto  Document  Feeder：原稿自動搬送装置）１３１、スキャナユニット１３２、排紙トレイ１３３、給紙テーブル１３４、プリントエンジン１３５、排紙トレイ１３６、ネットワークＩ／Ｆ１４１及び近距離通信Ｉ／Ｆ１４２を有する。なお、図２においては、電気的接続を実線の矢印で示しており、用紙の流れを破線の矢印で示している。
【００１４】
このうち制御部１１０は、ＣＰＵ１１１、ＲＯＭ１１２、ＲＡＭ１１３、ＨＤＤ（ハードディスクドライブ）１１４、パネルＩ／Ｆ（インタフェース）１１５、エンジンＩ／Ｆ１１６、通信Ｉ／Ｆ１１７、画像処理プロセッサ１１８を備え、これらをシステムバス１１９により接続した構成としている。
【００１５】
そして、ＣＰＵ１１１が、ＲＡＭ１１３をワークエリアとしてＲＯＭ１１２あるいはＨＤＤ１１４に記憶されたプログラムを実行することにより、各種Ｉ／Ｆを介して画像処理装置１００全体を制御し、図３を用いて後述するものをはじめとする種々の機能を実現する。
ＲＯＭ１１２及びＨＤＤ１１４は、不揮発性記憶媒体（記憶手段）であり、ＣＰＵ１１１が実行する各種プログラムや後述する各種データを格納している。
【００１６】
パネルＩ／Ｆ１１５は、操作パネル１２０をシステムバス１１９に接続し、ＣＰＵ１１１から制御できるようにするためのインタフェースである。パネルＩ／Ｆ１１５自体も、ＣＰＵ１１１と連携して操作パネル１２０を制御する操作表示制御部の機能を備える。
エンジンＩ／Ｆ１１６は、ＡＤＦ１３１〜排紙トレイ１３６の各種エンジン部をシステムバス１１９に接続し、ＣＰＵ１１１から制御できるようにするためのインタフェースである。エンジンＩ／Ｆ１１６自体も、ＣＰＵ１１１と連携して各種エンジンを制御するエンジン制御部の機能を備える。
【００１７】
通信Ｉ／Ｆ１１７は、ネットワークＩ／Ｆ１４１及び近距離通信Ｉ／Ｆ１４２をシステムバス１１９に接続し、ＣＰＵ１１１が外部装置とネットワークＩ／Ｆ１４１及び近距離通信Ｉ／Ｆ１４２を介した通信を行えるようにするためのインタフェースである。通信Ｉ／Ｆ１１７自体も、ＣＰＵ１１１と連携してネットワークＩ／Ｆ１４１及び近距離通信Ｉ／Ｆ１４２を制御する入出力制御部の機能を備える。
画像処理プロセッサ１１８は、スキャナユニット１３２が原稿の読み取りで得た画像データや、プリントエンジン１３５における印刷に使用する画像データに対し、種々の画像処理を施す画像処理部である。
【００１８】
また、操作パネル１２０は、画像処理装置１００に対するユーザの操作を受け付けるためのものであり、表示部１２１と操作部１２２を備える。
表示部１２１は、画像処理装置１００の状態を視覚的に表示する出力インタフェースであり、液晶ディスプレイやランプを備える。そして、ユーザからの操作を受け付けるためのＧＵＩ（グラフィカル・ユーザ・インタフェース）や、画像処理装置１００の動作状態や設定内容をユーザに提示するための画面を表示することができる。
【００１９】
操作部１２２は、ユーザが画像処理装置１００を直接操作し若しくは画像処理装置１００に対して情報を入力する際の入力インタフェースであり、タッチパネルやキー、ボタン等を備える。
ネットワークＩ／Ｆ１４１は、画像処理装置１００がネットワークを介して管理者用端末等の他の機器と通信するためのインタフェースであり、Ｅｔｈｅｒｎｅｔ（登録商標）やＵＳＢ（Universal  Serial  Bus）等のインタフェースが用いられる。
近距離通信Ｉ／Ｆ１４２は、画像処理装置１００が近距離無線通信により他の機器と通信するためのインタフェースであり、Ｂｌｕｅｔｏｏｔｈ（登録商標）、Ｗｉ−Ｆｉ（Wireless  Fidelity）、ＦｅｌｉＣａ（登録商標）等のインタフェースが用いられる。
【００２０】
ここで，図１の携帯端末装置２００と画像処理装置１００とは、この近距離通信Ｉ／Ｆ１４２を介した近距離通信を行うことになる。本実施形態においては，ユーザは画像処理装置１００の操作パネル１２０からユーザＩＤ及びパスワード等の認証情報を入力してログイン可能である。また、それだけでなく、携帯端末装置２００に対してそれらの認証情報を入力しておき、その認証情報を近距離無線通信経由で画像処理装置１００に送信されることで、画像処理装置１００にログインすることもできる．
【００２１】
なお、この実施形態では近距離無線通信にＢｌｕｅｔｏｏｔｈを用いるが、この場合，Ｂｌｕｅｔｏｏｔｈでの応答時間から、携帯端末装置２００（すなわち第２表示手段）と画像処理装置１００との距離の遠近を知り、距離を推定することができる。この実施形態では、この応答時間が規定の所定値以上の場合、携帯端末装置２００（を持つユーザ）と画像処理装置１００との距離が遠いと判断する。この情報は、画面を本体の表示部１２１と携帯端末装置２００の表示部２２１のどちらに表示するかの決定に用いることができる。
【００２２】
ここで、制御部１１０が担う制御機能についてさらに説明する。以下に説明する機能は、ＣＰＵ１１１が所要のプログラムを実行することにより制御部１１０内の各種ハードウェアの動作を制御することにより実現されるものである。
まず、制御部１１０は、主制御部としての機能を備え、制御部１１０に含まれる各部を制御する役割を担い、制御部１１０の各機能に命令を与える。また、制御部１１０は、エンジン制御部としての機能を備え、プリントエンジン１３５やスキャナユニット１３２等を制御若しくは駆動する駆動手段としての役割を担う。また、制御部１１０は、入出力制御部の機能を備え、ネットワークＩ／Ｆ１４１、近距離通信Ｉ／Ｆ１４２を介して入力される信号や命令を制御部１１０に入力する。また、入出力制御部の機能には、ネットワークＩ／Ｆ１４１や近距離通信Ｉ／Ｆ１４２を制御してネットワークを介して他の装置にアクセスする機能も含まれる。
【００２３】
また、制御部１１０は、画像処理部の機能を備え、印刷出力すべき画像情報に基づいて描画情報を生成する。この描画情報とは、画像形成部であるプリントエンジン１３５が画像形成動作において形成すべき画像を描画するための情報である。また、画像処理部は、スキャナユニット１３２から入力される撮像データを処理し、画像データを生成する。この画像データとは、スキャナ動作の結果物として画像処理装置１００に格納され若しくはネットワークＩ／Ｆ１４１や近距離通信Ｉ／Ｆ１４２を介して他の機器に送信される情報である。
【００２４】
また、制御部１１０は、操作表示制御部の機能を備え、操作パネル１２０の表示部１２１に情報表示を行い若しくは操作部１２２を介して入力された情報を制御部１１０に通知する。
以上が画像処理装置１００のハードウェア構成及び画像処理装置１００においてなされる制御の概略である。
【００２５】
ところで、近年、スマートフォンまたはスマートデバイスと呼ばれる、タッチパネルを使用した携帯端末装置が普及している。携帯端末装置２００もその１つであるが、これらのデバイスは、タッチパネルの採用により、入力部と表示部を共通化できるため，筐体サイズに比べて大きな入力部および表示部を持つことが出来る。
【００２６】
このような携帯端末装置は，ユーザに密着した表示デバイスとしても用いることができる。ここでの密着とは、ユーザとデバイスの距離のことである。
携帯端末装置は一般に、ユーザが手で持って操作するものであるから、ユーザにとってはもっとも近距離で見ることのできるものであり、持ち方や表示面へのフィルター貼付によっては、自分だけに情報を表示可能なものである。
【００２７】
一方、画像処理装置１００に固定して設けている操作パネル１２０は表示部１２１の視野角を広くして色々な角度からでも見えるように設計する、携帯端末とは逆の性格のものである。したがって、操作パネル１２０の近くに位置する、操作中のユーザ以外のユーザからも表示内容が見えてしまう。
また最近では、機器へのコストダウン要求から、画像処理装置１００に固定して設けている操作パネル１２０の表示画素数や表示色数を少なく、また解像度を低くしたモデルが存在する。こうしたモデルの場合には、却って携帯端末装置２００での表示の方が見やすい場合もある。
【００２８】
ところで、上述の画像処理装置１００には、一般ユーザの他に管理者という特別な属性のユーザを設定することができ（管理者向けマニュアルも一般ユーザ用と別に用意される）、管理者は、一般ユーザには見られたくない情報の入力を行うことができる。このような情報には、例えば、機器の使用権限設定に必要なパスワードがある。このパスワードが流出した場合、機器が所定の制限なしに使用されてしまうことがあるためである。
同様に管理者は、一般ユーザには見られたくない情報の表示を行うことができる。例えば、画像処理装置１００から、秘密情報がどの程度頻繁に出力されたかの情報や、画像処理装置１００の不正な使用に関する情報である。
【００２９】
例えば、特開２００１−１９７２９７号公報に記載のような地紋画像を合成した印刷は、機密情報を印刷する際に用いられるものであり、その地紋印刷による出力枚数が異常であるかどうかは、管理者の重大な関心事であると同時に秘密事項である。ここで秘密事項である理由は、出力枚数が異常であることが周知となれば、それは情報の流出が周知となることに近く、その場合、流出させた当事者はその後の不正な行為を控えるため、不正の予防や特定がしにくくなるからである。
【００３０】
また、特開２００７−１６６３４３号公報に記載の複写禁止機能は、機密情報の流出防止のためのものであり、複写禁止機能が作動した回数は、やはり管理者の重大な関心事であると同時に、秘密事項であるといえる。また、こうした複写禁止機能は、スキャン禁止機能にも応用されている。複写禁止が検出できる原稿は、容易にスキャン禁止が可能だからである。
【００３１】
また特開２０１２−１４６３３７号公報に記載のような、認証の失敗回数に応じた利用者からのアクセス拒否（いわゆるロックアウト）の機能や、認証の要求が過多であるかどうかを検知するアクセス攻撃検知機能も知られている。この実施形態では、利用者が誰であるかを問わず、また認証の成功・失敗も問わず、所定時間内に認証要求が閾値以上になった場合をアクセス攻撃として検知するが、ロックアウト回数やアクセス攻撃検知回数は、やはり管理者の重大な関心事であると同時に、秘密事項であると言える。
【００３２】
こうした情報の入力や表示を行う際には、管理者は周囲の目に気を配る必要がある。しかし、こうした情報の入力や表示を、画像処理装置１００に固定して設けた操作パネル１２０ではなく、携帯端末装置２００から行うことができれば、より安心である。携帯端末装置２００では一般に、ＰＩＮ（Personal  Identification  Number）コードによるユーザ認証が可能であるから、その認証結果を用いればユーザが管理者であることを画像処理装置１００に送信でき、かつ管理者だけに表示すべき情報を携帯端末装置２００に表示することが可能である。
【００３３】
そこでこの実施形態では、画像処理装置１００から、画像処理装置１００に固定して設けた操作パネル１２０の表示部１２１と、画像処理装置１００に固定されておらずユーザが保持可能な携帯端末装置２００の表示部２２１とに画面を表示できるようにしている。そして、ユーザの操作に従ってそのユーザに対して情報を表示する場合に、そのユーザの属性と、表示しようとする情報の項目とに従って、その情報を表示部１２１と表示部２２１のいずれに表示させるかを決定するようにしている。
【００３４】
以下、この点に関連する画像処理装置１００の機能及び動作について説明する。
まず、図３に、画像処理装置１００の機能構成を示す。図３に示すのは、上記の表示部１２１と表示部２２１の使い分けに関連する機能である。
図３に示すように、画像処理装置１００は、画面表示指示受付部１５１、表示項目抽出部１５２、表示先決定部１５３、第１表示制御部１５４、第２表示制御部１５５、ユーザ認証部１５６、権限判定部１５７、距離測定部１５８、パネルサイズ保持部１５９を備える。なお、表示部１２１は、図１及び図２に示した表示部１２１による表示機能を示す。また、表示部２２１は、図１に示した携帯端末装置２００の表示部２２１による表示機能を示す。
【００３５】
上記のうち画面表示指示受付部１５１は、ユーザからの、画面を表示する指示を受け付ける機能を備える。この画面には、何らかの指示を受け付けるための操作画面も、その操作画面で何らかの行ったことに応じた動作結果の画面も含む。例えば、利用可能な機能のメニューから何らかの機能を選択することは、その機能に関する操作を行うための操作画面の表示指示となる。また、操作画面において必要な情報を入力して画像処理装置１００に対する何らかの動作を指示することは、動作結果の画面の表示指示となる。
【００３６】
次に、表示項目抽出部１５２は、画面表示指示受付部１５１が受け付けた指示に従って表示させる画面に、どのような項目の情報が含まれるかを抽出する機能を備える。もちろん、１画面に複数項目の情報が含まれる場合もある。また、表示項目抽出部１５２は、権限判定部１５７から、ログイン中のユーザの権限の値を取得し、その権限で表示できる項目のみを抽出する。ここで、ユーザの権限は、「一般」「管理者」等の値を選択的に設定可能な、ユーザの属性の１つである。
【００３７】
表示先決定部１５３は、画面の表示を指示したユーザの属性と、表示しようとする情報の項目とに従って、その情報を表示部１２１と表示部２２１のどちらに表示するかを決定する表示先決定手段の機能を備える。このうち表示しようとする情報の項目は、表示項目抽出部１５２から供給される。ユーザの属性は、権限判定部１５７から供給される。また、これらの他、距離測定部１５８から供給される、画像処理装置１００からユーザまでの距離の推定結果や、パネルサイズ保持部１５９から供給される、表示部１２１のディスプレイパネルと表示部２２１のディスプレイパネルとの画素数の大小関係の情報も用いて上記決定を行うこともできる。
【００３８】
第１表示制御部１５４は、表示部１２１における表示を制御する第１表示制御手段の機能を備える。そして、表示先決定部１５３が表示部１２１で画面の表示を行うと決定した場合に、画面表示指示受付部１５１が受け付けた指示に従った画面を表示部１２１に表示させるための画面データを生成し、その画面データに基づき表示部１２１に画面を表示させる。
【００３９】
第２表示制御部１５５は、表示部２２１における表示を制御する第２表示制御手段の機能を備える。そして、表示先決定部１５３が表示部２２１で画面の表示を行うと決定した場合に、画面表示指示受付部１５１が受け付けた指示に従った画面を表示部２２１に表示させるための画面データを生成し、その画面データを携帯端末装置２００に送信して、その画面データに基づき表示部２２１に画面を表示させる。なお、携帯端末装置２００に画面表示用のアプリケーションがある場合、第２表示制御部１５５は、画面内に表示する情報のみ送信し、画面の枠組みは携帯端末装置２００側で用意することも考えられる。
【００４０】
ユーザ認証部１５６は、ユーザにより入力された認証情報を用いてユーザを認証し、今回画像処理装置１００を使用しようとしているユーザが、図５に示すユーザリストに登録されたユーザのうち誰であるかを特定する機能を備える。
権限判定部１５７は、ユーザ認証部１５６によるユーザの特定及びユーザリストに登録された権限情報に基づき、ユーザ認証部１５６が認証したユーザの権限の情報を取得し、表示項目抽出部１５２及び表示先決定部１５３に供給する機能を備える。
【００４１】
距離測定部１５８は、画像処理装置１００から携帯端末装置２００（を持つユーザ）までの距離を推定する距離推定手段の機能を備える。なお、この実施形態では、大まかな距離がわかればよいので、距離測定部１５８は、Ｂｌｕｅｔｏｏｔｈでの携帯端末装置２００の応答時間が所定の閾値を超えるか否かに基づき、携帯端末装置２００までの距離が所定距離以上か否かを推定するのみとしている。そして、ユーザまでの距離は、その携帯端末装置２００までの距離と等しいとしている。なお、他の方法で正確な測距を行ってもよい。
【００４２】
パネルサイズ保持部１５９は、図４に示すように、画像処理装置１００と通信可能な携帯端末装置２００について、そのＭＡＣ（Media  Access  Control）アドレスと、表示部２２１を構成するディスプレイパネルの縦横の画素数とを保持している。この情報は、画像処理装置１００の管理者が入力して設定することができる。
【００４３】
また、パネルサイズ保持部１５９は、現在接続中（第２表示手段として使用中）の携帯端末装置２００の画素数の情報と、表示部１２１が備えるディスプレイパネルにおける画素数の情報とを取得する画素数取得手段として機能する。さらに、これらの画素数を比較て、表示部１２１と表示部２２１でどちらが画素数が多いか判定し、その情報を表示先決定部１５３へ供給する機能も備える。
【００４４】
ここで、図５に、画像処理装置１００の使用権限を有するユーザのリストであるユーザリストの例を示す。
図５に示すユーザリストは、画像処理装置１００の使用権限を有する各ユーザについて、ＩＤ（登録ユーザのＩＤ）、ログインパスワード、ユーザ種類、権限情報、ログ情報をはじめとする種々の情報を登録したリストである。
【００４５】
このうちＩＤ及びログインパスワードは、ユーザを認証する際に使用する認証情報である。
ユーザ属性は、ここではユーザが持つ権限のレベルを示す。この例では、「管理者」と「一般」の２つのレベルを設けている。
権限情報としては、複写権限、印刷権限及びスキャン権限の項目が用意され、該当のユーザにこれらの動作が許可されているか否か、および許可されている範囲を示す情報が登録される。
【００４６】
ログ情報は、ここではロックアウト回数、地紋印刷ページ数、複写禁止動作回数、およびスキャン禁止動作回数を登録するようにしている。これらのログ情報は、上述したロックアウト、地紋印刷、複写禁止、及びスキャン禁止の各機能を動作させた回数を、画像処理装置１００がユーザ毎に自動的に記録するものである。
なお、アクセス攻撃検知回数もログ情報であるが、この情報は、ユーザを区別せず、画像処理装置１００全体に関する情報として記録する。リストの最下段に示す通りである。
画像処理装置１００において、図５のユーザリストに示した情報の項目のうち、権限情報とログ情報は、管理者の属性（第１属性）を持つユーザのみがアクセス（表示及び設定）を許可される特定項目の情報である。したがって、一般ユーザの属性（第２属性）を持つユーザは、これらの情報に対するアクセスはできない。
【００４７】
次に、以上説明してきた画像処理装置１００における画面の表示制御に係る処理のいくつかの例について説明する。ここで説明する処理は、表示先決定部１５３による表示先決定の処理も含むものである。
【００４８】
〔表示制御処理の第１例：図６，図７〕
まず、画像処理装置１００における画面の表示制御処理の第１例について説明する。
図６に、この第１例の表示制御の概略を示した。
この図に示すように、第１例においては、ユーザの属性と、表示しようとする情報の項目とに従って、その情報を画像処理装置１００の操作パネル１２０に設けた表示部１２１に表示させるか、携帯端末装置２００の表示部２２１に表示させるかを決定する。なお、以後の表示制御処理の説明において、表示部１２１に表示させることを、「操作パネル１２０に表示」等といい、表示部２２１に表示させることを、「携帯端末装置２００に表示」等という。
【００４９】
図６の例では、ユーザの属性が管理者である場合、特定項目の情報は携帯端末装置２００に表示させ、特定項目以外の情報は操作パネル１２０に表示させる。特定項目の情報については、セキュリティを重視して、他人に見られにくい携帯端末装置２００に表示させるようにしたものである。特定項目以外の情報は、セキュリティを重視する必要はないため、操作パネル１２０に表示させて問題ない。
【００５０】
なお、必須ではないが、表示しようとする画面内に１つでも特定項目の情報が含まれていた場合、画面全体を特定項目として取り扱うとよい。特定項目とそれ以外の項目とで別々の表示部に表示されると見づらい一方、１項目でも特定項目の情報があればセキュリティを重視する必要があるため、画面全体の取り扱いは特定項目のものに合わせることが望ましいためである。
【００５１】
また、ユーザの属性が一般である場合、特定項目以外の情報を操作パネル１２０に表示させる。これは管理者の場合と同様である。また、一般のユーザの場合、特定項目の情報は表示することができない。特定項目の欄の「−」はこのことを示している。
なお、「操作パネルへの表示」の欄は、各属性のユーザに対し、操作パネルを用いた表示を行うことがあり得るかを示している。図６の場合では、双方とも表示するケースがあるため、「する」となっている。
【００５２】
図７に、図６の内容に従った表示制御を行うための処理のフローチャートを示す。
画像処理装置１００のＣＰＵ１１１は、ユーザが画像処理装置１００に認証され、ログインすると、図７のフローチャートに示す処理を開始する。
図７の処理において、ＣＰＵ１１１は、まずログインしたユーザの属性が管理者であるか否か判断する（Ｓ１１）。
【００５３】
管理者である場合、ステップＳ１２乃至Ｓ１６の管理者用ルーチンに進む。ここでは、ＣＰＵ１１１は、ユーザの操作があるまで待機し、操作があった場合にこれに応答する処理を行う（Ｓ１２）。そして、応答を行う場合、ＣＰＵ１１１は、その応答が情報の表示を伴うか否かを判断する（Ｓ１３）。ここでいう情報の表示は、操作時には画面に表示されていなかった新たな情報を表示することをいう。画面自体を別の画面に切り替える場合もあり得るし、画面内の一部の項目の情報のみ表示を変更する場合もあり得る。
【００５４】
いずれにせよ、ステップＳ１３でＮｏであれば、以降の表示に係る処理は不要であるので、ステップＳ１２に戻って処理を繰り返す。ステップＳ１３でＹｅｓであれば、ＣＰＵ１１１は、ユーザの操作への応答が、特定項目の情報の表示を含むか否か判断する（Ｓ１４）。ここでＹｅｓであれば、図６に示した通り、応答に係る情報を携帯端末装置２００に表示させる（Ｓ１５）。また、Ｎｏであれば、応答に係る情報を操作パネルに表示させる（Ｓ１６）。これらの取り扱いは、図６の管理者の行に示した通りである。そして、いずれの場合も、ステップＳ１２に戻って処理を繰り返す。
【００５５】
一方、ステップＳ１１で管理者でない場合、ステップＳ１７乃至Ｓ１９の一般ユーザ用ルーチンに進む。ここでも、ＣＰＵ１１１は、ユーザの操作があるまで待機し、操作があった場合にこれに応答する処理を行う（Ｓ１７）。そして、応答を行う場合、ＣＰＵ１１１は、その応答が情報の表示を伴うか否かを判断する（Ｓ１８）。これがＹｅｓであれば、ＣＰＵ１１１は、特定項目以外の情報を操作パネル１２０に表示して（Ｓ１９）、ステップＳ１７に戻り、処理を繰り返す。ステップＳ１８でＮｏであれば、表示に係る処理は不要であるので、そのままステップＳ１７戻って処理を繰り返す。これらの取り扱いも、図６の一般の行に示した通りである。
以上により、図６を用いて説明した制御が可能である。
【００５６】
〔表示制御処理の第２例：図８，図９〕
次に、画像処理装置１００における画面の表示制御処理の第２例について説明する。
図８に、この第２例の表示制御の概略を示した。
この図に示すように、第２例においては、ユーザの属性と、表示しようとする情報の項目に加えて、画像処理装置１００からユーザまでの距離にも従って、その情報を操作パネル１２０に表示させるか携帯端末装置２００に表示させるかを決定する。
【００５７】
図８の例では、ユーザの属性が管理者である場合、画像処理装置１００からユーザまでの距離が遠ければ（閾値以上であれば）、特定項目の情報と特定項目以外の情報を共に携帯端末装置２００に表示させる。セキュリティを重視して特定項目の情報を携帯端末装置２００に表示させる点は第１例の場合と同じである。また、ユーザから画像処理装置１００までの距離が遠いので、操作パネル１２０に情報を表示しても見づらいと考えられることから、特定項目以外の情報も、携帯端末装置２００に表示させるようにしている。
【００５８】
また、ユーザの属性が管理者であって、画像処理装置１００からユーザまでの距離が近ければ（閾値未満であれば）、特定項目の情報は携帯端末装置２００に表示させ、特定項目以外の情報は操作パネル１２０に表示させる。これは、第１例の管理者の場合と同じ対応である。可能であれば、携帯端末装置２００と操作パネル１２０の双方を利用した方が表示の自由度が高まるため、このようにしている。
また、ユーザの属性が一般である場合の表示も、第１例の場合と同じである。
【００５９】
図９に、図８の内容に従った表示制御を行うための処理のフローチャートを示す。
画像処理装置１００のＣＰＵ１１１は、ユーザが画像処理装置１００に認証され、ログインすると、図９のフローチャートに示す処理を開始する。
図９の処理において、ＣＰＵ１１１は、まずログインしたユーザの属性が管理者であるか否か判断する（Ｓ３１）。
【００６０】
管理者である場合、ステップＳ３２乃至Ｓ３９の管理者用ルーチンに進む。ここでは、ＣＰＵ１１１は、ユーザの操作があるまで待機し、操作があった場合にこれに応答する処理を行う（Ｓ３２）。そして、応答を行う場合、ＣＰＵ１１１は、Ｂｌｕｅｔｏｏｔｈの応答時間が所定の閾値を超えるか否かにより、ユーザまでの距離が遠い（超える）か近い（超えない）かを判断する（Ｓ３３）。そして、ここで遠い場合、ステップＳ３２の応答が情報の表示を伴うか否かを判断する（Ｓ３４）。これがＹｅｓであれば、情報の項目によらず、応答に係る情報を携帯端末装置２００に表示させて（Ｓ３５）、ステップＳ３２に戻り、処理を繰り返す。Ｎｏであれば、ステップＳ３５には進まずにステップＳ３２に戻る。これは、図８の一番上の行と対応する処理である。
【００６１】
また、ステップＳ３３で近い場合、図７のステップＳ１３乃至Ｓ１６と同じ処理を行う（Ｓ３６〜Ｓ３９）。これは、図８の真ん中の行と対応する処理である。
また、ステップＳ３１で管理者でない場合、図７のステップＳ１７乃至Ｓ１９と同じ処理を行う（Ｓ４０〜Ｓ４２）。これは、図８の一番下の行と対応する処理である。
以上により、図８を用いて説明した制御が可能である。
【００６２】
〔表示制御処理の第３例：図１０，図１１〕
次に、画像処理装置１００における画面の表示制御処理の第３例について説明する。
この第３例は、基本的な考え方は第２例と同じであるが、画像処理装置１００からユーザまでの距離の遠近が変わった場合に、それに応じて表示を変化させるようにしたものである。
【００６３】
図１０及び図１１に、第３例の表示制御を行うための処理のフローチャートを示す。
画像処理装置１００のＣＰＵ１１１は、ユーザが画像処理装置１００に認証され、ログインすると、図１０のフローチャートに示す処理を開始する。
図１０の処理において、ＣＰＵ１１１はまず、現距離状態、旧距離状態、現操作状態、旧操作状態のそれぞれの変数に、「なし」を初期値として設定する（Ｓ５１）。
【００６４】
次に、ＣＰＵ１１１は、ログインしたユーザの属性が管理者であるか否か判断する（Ｓ５２）。管理者である場合、ステップＳ５２乃至Ｓ７３の管理者用ルーチンに進む。
ここでは、ＣＰＵ１１１まず、現操作状態の値が「表示」か否か判断する（Ｓ５３）。初めはステップＳ５１で「なし」を設定したため、この判断はＮｏとなり、処理はステップＳＳ６０へ進む。
【００６５】
ここで、ＣＰＵ１１１は、ユーザの操作があるまで待機し、操作があった場合にこれに応答する処理を行う（Ｓ６０）。そして、応答を行う場合、ＣＰＵ１１１は、Ｂｌｕｅｔｏｏｔｈの応答時間が所定の閾値を超えるか否かにより、ユーザまでの距離が遠いか近いかを判断する（Ｓ６１）。
【００６６】
そして、ここで遠い場合、ＣＰＵ１１１は、現距離状態にその「遠い」を、旧距離状態に、「遠い」を設定する前の現距離状態の値を設定する（Ｓ６２）。また、図１１のステップＳ６３に進み、ＣＰＵ１１１は、ステップＳ６０の応答が情報の表示を伴うか否かを判断する（Ｓ６３）。これがＹｅｓであれば、ＣＰＵ１１１は、現操作状態に「表示」を設定すると共に、旧操作状態に「表示」を設定する前の現操作状態の値を設定する（Ｓ６４）。また、ＣＰＵ１１１は、情報の項目によらず、応答に係る情報を携帯端末装置２００に表示させて（Ｓ６５）、ステップＳ５３に戻り、処理を繰り返す。また、ステップＳ６３でＮｏであれば、ＣＰＵ１１１は、現操作状態に「非表示」を設定して（Ｓ６６）ステップＳ５３に戻り、処理を繰り返す。これは、図８の一番上の行と対応する処理である。
【００６７】
また、ステップＳ６１で近い場合、ＣＰＵ１１１は、現距離状態にその「近い」を、旧距離状態に、「近い」を設定する前の現距離状態の値を設定する（Ｓ６７）。また、図１１のステップＳ６８に進み、ＣＰＵ１１１は、ステップＳ６０の応答が情報の表示を伴うか否かを判断する（Ｓ６８）。これがＹｅｓであれば、現操作状態に「表示」を設定すると共に、旧操作状態に「表示」を設定する前の現操作状態の値を設定する（Ｓ６９）。
【００６８】
また、ＣＰＵ１１１は、ユーザへの操作の応答が、特定項目の情報の表示を含むか否か判断する（Ｓ７０）。ここでＹｅｓであれば、ＣＰＵ１１１は、応答に係る情報を携帯端末装置２００に表示させる（Ｓ７１）。また、Ｎｏであれば、ＣＰＵ１１１は、応答に係る情報を操作パネルに表示させる（Ｓ７２）。そして、いずれの場合も、ステップＳ５３に戻って処理を繰り返す。また、ステップＳ６８でＮｏであれば、ＣＰＵ１１１は、現操作状態に「非表示」を設定してステップＳ５３に戻り、処理を繰り返す。これは、図８の一番上の行と対応する処理である。
【００６９】
また、ステップＳ６５等からステップＳ５３に戻り、ステップＳ６４あるいはＳ６９で現操作状態が「表示」に設定されていると、ステップＳ５３の判断がＹｅｓになる。
この場合、ＣＰＵ１１１は次に、現距離状態が「なし」か否か判断する（Ｓ５４）。ここでＹｅｓであればステップＳ６０に進むが、ステップＳ６５等から戻った場合には「近い」か「遠い」が設定されてステップＳ５４はＮｏと考えられる。
そこで、ＣＰＵ１１１は、Ｂｌｕｅｔｏｏｔｈの応答時間が所定の閾値を超えるか否かにより、ユーザまでの距離が遠い（超える）か近い（超えない）かを判断する（Ｓ５５）。
【００７０】
ステップＳ５５でＹｅｓの場合、ユーザまでの距離が遠いので、ＣＰＵ１１１は現距離状態に「遠い」を設定する（Ｓ５６）。そして、旧距離状態が「遠い」であるか否か判断する（Ｓ５７）。ここでＹｅｓであれば、距離に変動がないことがわかるので、ステップＳ６０に進む。
ステップＳ５７でＮｏの場合、ユーザまでの距離が遠距離から近距離に変わったことがわかるため、ＣＰＵ１１１は、図１１のステップＳ６５で、全ての表示を携帯端末装置２００への表示に切り替える。すなわち、図８の最上段の距離が遠い場合の態様に変更する。
【００７１】
また、ステップＳ５５でＮｏの場合、ユーザまでの距離が近いので、ＣＰＵ１１１は現距離状態に「近い」を設定する（Ｓ５８）。そして、旧距離状態が「遠い」であるか否か判断する（Ｓ５９）。ここでＮｏであれば、距離に変動がないことがわかるので、ステップＳ６０に進む。
ステップＳ５９でＹｅｓの場合、ユーザまでの距離が近距離から遠距離に変わったことがわかるため、ＣＰＵ１１１は、図１１のステップＳ７０以下で、特定項目の表示中であれば携帯端末装置２００への表示に、特定項目以外を表示中であれば操作パネル１２０への表示に切り替える。なお、この場合のステップＳ７０の判断は、表示中の情報について行うものとする。すなわち、図８の中段の距離が近い場合の態様に変更する。
【００７２】
以上を繰り返すことにより、画像処理装置１００からユーザまでの距離が変化したことを検出し、常に距離にあった態様での表示を行うことができる。
なお、ステップＳ５２で管理者でない場合、図７のステップＳ１７乃至Ｓ１９と同じ処理を行う（Ｓ７４〜Ｓ７６）。これは、図８の一番下の行と対応する処理である。
【００７３】
〔表示制御処理の第４例：図１２，図１３〕
次に、画像処理装置１００における画面の表示制御処理の第４例について説明する。
図１２に、この第４例の表示制御の概略を示した。
この図に示すように、第４例においては、ユーザの属性と、表示しようとする情報の項目と、画像処理装置１００からユーザまでの距離に加えて、操作パネル１２０と携帯端末装置２００の各表示部の画素数にも従って、その情報を操作パネル１２０に表示させるか携帯端末装置２００に表示させるかを決定する。
【００７４】
図１２の例では、ユーザの属性が管理者である場合、画像処理装置１００からユーザまでの距離が遠くて、かつ携帯端末装置２００の方が操作パネル１２０よりも縦横とも画素数が多ければ、特定項目の情報と特定項目以外の情報を共に携帯端末装置２００に表示させる。セキュリティを重視して特定項目の情報を携帯端末装置２００に表示させる点は第１例の場合と同じである。さらに、携帯端末装置２００の方が画素が多く、表示が見やすいので、この点でも携帯端末装置２００に表示させることが望ましい。
【００７５】
また、画像処理装置１００からユーザまでの距離が近くて、かつ携帯端末装置２００の方が操作パネル１２０よりも縦横とも画素数が多い場合も、特定項目の情報と特定項目以外の情報を共に携帯端末装置２００に表示させる。セキュリティ重視の点は上記の遠い場合と同じである。また、携帯端末装置２００の方が画素が多く、表示が見やすいので、操作パネル１２０が近くにあっても携帯端末装置２００に表示させることが望ましい。
【００７６】
また、画像処理装置１００からユーザまでの距離が近くて、かつ携帯端末装置２００の方が操作パネル１２０よりも縦横いずれかについて画素数が少ない場合は、特定項目の情報と特定項目以外の情報を共に操作パネル１２０に表示させる。携帯端末装置２００の画素数が少なく、こちらに表示しても見づらい一方、ユーザが画像処理装置１００の近くにいればセキュリティ上のリスクは軽減できると考えられるため、特定項目についても操作パネル１２０に表示させるようにしたものである。
【００７７】
また、画像処理装置１００からユーザまでの距離が遠くて、かつ携帯端末装置２００の方が操作パネル１２０よりも縦横いずれかについて画素数が少ない場合は、特定項目の情報と特定項目以外の情報を共に携帯端末装置２００に表示させる。携帯端末装置２００の画素数が少なく、見づらいが、ユーザが画像処理装置１００の近くにいない状態で操作パネル１２０に表示させてもユーザは見ることができないし、セキュリティ上のリスクも大きいためである。
【００７８】
ユーザの属性が一般である場合の表示は、第１例の場合と同じである。
図１３に、図１２の内容に従った表示制御を行うための処理のフローチャートを示す。
画像処理装置１００のＣＰＵ１１１は、ユーザが画像処理装置１００に認証され、ログインすると、図１３のフローチャートに示す処理を開始する。
図１３の処理において、ＣＰＵ１１１は、まずログインしたユーザの属性が管理者であるか否か判断する（Ｓ９１）。
【００７９】
管理者である場合、ステップＳ９２乃至Ｓ９７の管理者用ルーチンに進む。ここでは、ＣＰＵ１１１は、ユーザの操作があるまで待機し、操作があった場合にこれに応答する処理を行う（Ｓ９２）。そして、応答を行う場合、ＣＰＵ１１１はステップＳ９２の応答が情報の表示を伴うか否かを判断する（Ｓ９３）。これがＮｏであれば、表示すべき情報がないためそのままステップＳ９２に戻って処理を繰り返す。
【００８０】
ステップＳ９３でＹｅｓの場合、ＣＰＵ１１１は、携帯端末装置２００の画素数が操作パネル１２０の画素数よりも多いか否か判断する（Ｓ９４）。図１２の例では縦横の画素数をそれぞれ比べていたが、画素の総数を比べてもよい。
ステップＳ９４でＹｅｓであれば、図１２の上２行のケースに該当するので、ＣＰＵ１１１は、応答に係る情報を携帯端末装置２００に表示させて（Ｓ９５）、ステップＳ９２に戻り、処理を繰り返す。
【００８１】
ステップＳ９４でＮｏであれば、ＣＰＵ１１１は次に、Ｂｌｕｅｔｏｏｔｈの応答時間が所定の閾値を超えるか否かにより、ユーザまでの距離が遠いか近いかを判断する（Ｓ９６）。そして、ここで遠い場合、図１２の下から２行目のケースに該当するので、ＣＰＵ１１１は、応答に係る情報を携帯端末装置２００に表示させて（Ｓ９５）、ステップＳ９２に戻り、処理を繰り返す。ステップＳ９６で近ければ、図１２の上から３行目のケースに該当するので、ＣＰＵ１１１は、応答に係る情報を操作パネル１２０に表示させて（Ｓ９７）、ステップＳ９２に戻り、処理を繰り返す。
また、ステップＳ９１で管理者でない場合、図７のステップＳ１７乃至Ｓ１９と同じ処理を行う（Ｓ９８）。これは、図１２の一番下の行と対応する処理である。
以上により、図１２を用いて説明した制御が可能である。
【００８２】
〔画面の表示例：図１４乃至図１７〕
次に、操作パネル１２０あるいは携帯端末装置２００の表示部１２１，２２１に表示される画面の例について説明する。
図１４は、管理者権限を持つユーザが画像処理装置１００を操作して表示させる画面の例である。
管理者権限を持つユーザが、画像処理装置１００に対してユーザ一覧画面の表示を指示すると、画像処理装置１００は、上述した表示制御処理にて表示部１２１，２２１のいずれかを選択して図１４に示すユーザ一覧画面４１０を表示する。
【００８３】
このユーザ一覧画面４１０は、図５のユーザリストに登録されているユーザを一覧表示するユーザ表示部４１１の他、セキュリティ項目選択ボタン４１２、権限設定ボタン４１３及び表示ボタン４１４を備える。このうちセキュリティ項目選択ボタン４１２は、図５に示したセキュリティ関係のログのうち、参照したい項目を選択するためのボタンである。権限設定ボタン４１３は、ユーザの権限を設定するための画面を表示させるためのボタンである。表示ボタン４１４は、セキュリティ項目選択ボタン４１２で選択された項目のログを表示させるためのボタンである。
【００８４】
例えば、ユーザがユーザ表示部４１１にてハッチングを付した青木氏を選択して権限設定ボタン４１３を操作すると、選択された青木氏について権限を設定する機能選択画面４２０に移行する。そして、ユーザがこの機能選択画面４２０にてコピーボタン４２１を操作すると、権限設定画面４３０に移行する。
この権限設定画面４３０では、ボタンのオンオフにより、選択されたユーザのコピー機能に関する権限を編集できる。また、現在のボタンの押下状態から、現在設定されている権限も参照できる。図１４の例では、青木氏にフルカラーコピーの権限が与えられていることがわかる。
【００８５】
また、図１５に示すのは、図１４のユーザ一覧画面４１０において、ユーザ表示部４１１にて青木氏を選択すると共に、セキュリティ項目選択ボタン４１２により、「地紋印刷頁数」、「複写禁止動作回数」、及び「ロックアウト回数」を選択した状態である。この状態でユーザが表示ボタン４１４を操作すると、画面は、ログ表示画面４４０に移行する。この画面においては、選択された青木氏につき、選択された項目のログが表示される。
【００８６】
図１６に示すのは、セキュリティ項目選択ボタン４１２による選択項目が図１５と異なる例である。この例では、「ロックアウト回数」及び「アクセス攻撃検知回数」が選択されている。この状態でユーザが表示ボタン４１４を操作すると、画面は、ログ表示画面４４０に移行する。この画面においては、選択された青木氏につき、選択された項目のログが表示される。項目は異なるが、図１５の場合と同じ画面である。なお、アクセス攻撃検知回数については、図５に示した通り、画像処理装置１００全体で１つの項目が用意されるため、どのユーザを選択した場合でも同じ値が表示される。
【００８７】
以上の図１４乃至図１６に示した画面、特に権限設定画面４３０及びログ表示画面４４０に表示される情報は、セキュリティ上重要な情報であるため、管理者権限を持つユーザにしか閲覧を許さないようにしている。すなわち、特定項目の情報である。
従って、例えば表示制御の第１例では、必ず携帯端末装置２００に表示される。自動的に表示先を決定しているため、誤って操作パネル１２０に表示してしまうこともない。このことにより、情報が管理者権限を持つユーザ以外に盗み見られることを防止することができる。
【００８８】
ここで、図１７に、一般権限を持つユーザが画像処理装置１００に対してユーザ一覧画面の表示を指示したことに応じて表示されるユーザ一覧画面の例を示す。
画像処理装置１００においては、セキュリティ上重要な情報を表示するための画面に移行するための操作部も、特定項目の情報として、管理者権限を持つユーザにしか閲覧を許さないようにしている。このため、一般権限のユーザに対しては表示されない。
ユーザ一覧画面では、セキュリティ項目選択ボタン４１２、権限設定ボタン４１３及び表示ボタン４１４が特定項目の情報となっている。したがって、一般権限を持つユーザに対しては、図１７に示すように、これらのボタンを除いた画面が表示される。
【００８９】
以上で実施形態の説明を終了するが、この発明において、装置の具体的な構成、具体的な処理の手順、データの構成、表示先の選択基準、ユーザに設定し得る属性等は、実施形態で説明したものに限るものではない。
例えば、上述した実施形態では、この発明の情報処理装置を画像処理装置として構成した例について説明したが、これには限られない。情報の表示先を決定する装置が画像読み取り機能や画像形成機能を備えている必要はない。表示する情報も、画像と全く無関係のものでもよい。
また、第２表示手段を備える装置が携帯可能であることも必須ではない。
【００９０】
また、上述した実施形態における画像処理装置１００の機能を、複数の装置に分散して設け、それら複数の装置を協働させて、画像処理装置１００と同等な機能を実現させてもよい。この場合、それら複数の装置が、画像処理装置１００と同等な機能を備える情報処理システムとして機能する。
【００９１】
また、この発明のプログラムの実施形態は、コンピュータに所要のハードウェアを制御させて上述した実施形態における画像処理装置１００の機能を実現させるためのプログラムである。
このようなプログラムは、はじめからコンピュータに備えるＲＯＭや他の不揮発性記録媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、上述した各手順を実行させることができる。
【００９２】
さらに、ネットワークに接続され、プログラムを記録した記録媒体を備える外部装置あるいはプログラムを記憶手段に記憶した外部装置からダウンロードし、コンピュータにインストールして実行させることも可能である。
また、以上説明してきた各実施形態、及び変形例の構成は、相互に矛盾しない限り任意に組み合わせて実施可能であることは勿論である。
【符号の説明】
【００９３】
１００：画像処理装置、１１０：制御部、１１１：ＣＰＵ、１１２：ＲＯＭ、１１３：ＲＡＭ、１１４：ＨＤＤ、１１５：パネルＩ／Ｆ、１１６：エンジンＩ／Ｆ、１１７：通信Ｉ／Ｆ、１１８：画像処理プロセッサ、１１９：システムバス、１２０：操作パネル、１２１，２２１：表示部、１２２：操作部、１３１：ＡＤＦ、１３２：スキャナユニット、１３３：排紙トレイ、１３４：給紙テーブル、１３５：プリントエンジン、１３６：排紙トレイ、１４１：ネットワークＩ／Ｆ、１４２：近距離通信Ｉ／Ｆ、１５１：画面表示指示受付部、１５２：表示項目抽出部、１５３：表示先決定部、１５４：第１表示制御部、１５５：第２表示制御部、１５６：ユーザ認証部、１５７：権限判定部、１５８：距離測定部、１５９：パネルサイズ保持部、２００：携帯端末装置、３００：無線通信路、４１０：ユーザ一覧画面、４１１：ユーザ表示部、４１２：セキュリティ項目選択ボタン、４１３：権限設定ボタン、４１４：表示ボタン、４２０：機能選択画面、４２１：コピーボタン、４３０：権限設定画面、４４０：ログ表示画面
【先行技術文献】
【特許文献】
【００９４】
【特許文献１】特開２００７−７４１６２号公報
【特許文献２】特開２０１３−２５６０６０号公報
【図１】
2016177702.tif 000003
【図２】
2016177702.tif 000004
【図３】
2016177702.tif 000005
【図４】
2016177702.tif 000006
【図５】
2016177702.tif 000007
【図６】
2016177702.tif 000008
【図７】
2016177702.tif 000009
【図８】
2016177702.tif 000010
【図９】
2016177702.tif 000011
【図１０】
2016177702.tif 000012
【図１１】
2016177702.tif 000013
【図１２】
2016177702.tif 000014
【図１３】
2016177702.tif 000015
【図１４】
2016177702.tif 000016
【図１５】
2016177702.tif 000017
【図１６】
2016177702.tif 000018
【図１７】
2016177702.tif 000019